(57)【要約】【課題】資源消費の低減、環境に対する負荷低減を図る環境にやさしいエコなツールホルダー等の携帯用収納用具を提供する【解決手段】収納部３、小収納部６を布８により形成する。布８は、プラスチック製繊維からなり、その経糸９及び横糸10の一方を再生プラスチック製繊維により形成する。布８の一方の糸のみに再生プラスチックを利用することで、簡単に再生プラスチック製繊維の布８の全体に対する重量比で５０％以上に形成することができる。布８を形成する繊維の少なくとも一部を再生プラスチック製繊維により形成することで、プラスチックの再生利用により資源消費の低減、環境に対する負荷低減を図り、エコな携帯用収納用具1を提供することができる。【選択図】図１
0003157430.tif 000002
【実用新案登録請求の範囲】
【請求項１】
収納部を布により形成した携帯用収納用具において、前記布を再生プラスチック製繊維により形成することを特徴とする携帯用収納用具。
【請求項２】
収納部を布により形成した携帯用収納用具において、前記布を形成する繊維の一部を再生プラスチック製繊維により形成することを特徴とする携帯用収納用具。
【請求項３】
前記布はプラスチック製繊維により形成され、前記再生プラスチック製繊維の前記布の全体に対する重量比で５０％以上に形成することを特徴とする請求項２記載の携帯用収納用具。
【請求項４】
前記布は、織布であって、その経糸及び横糸の一方を前記再生プラスチック製繊維により形成することを特徴とする請求項２又は３記載の携帯用収納用具。
【請求項５】
前記再生プラスチック製繊維は、再生したポリエステルであることを特徴とする請求項４記載の携帯用収納用具。
【請求項６】
前記再生プラスチック製繊維は、再生したＰＥＴ樹脂であることを特徴とする請求項４記載の携帯用収納用具。
【考案の詳細な説明】
【技術分野】
【０００１】
本考案は、携帯用収納用具に関するものである。
【背景技術】
【０００２】
従来、携帯用収納用具、例えばねじ回し等工具やボルト・ナット等部品を収納すると共に腰ベルトに吊り下げて使用するツールホルダー、ツールバッグにおいては、耐水性、耐久性さらにはコストなどの視点からナイロン等化学繊維からなる経糸と横糸とを織った布により形成されている（例えば、特許文献１）。
【先行技術文献】
【特許文献】
【０００３】
【特許文献１】実用新案登録第3081202号公報
【考案の概要】
【考案が解決しようとする課題】
【０００４】
しかし、従来技術においては、布地は原油を原料として糸を製造し、この糸を製織、染色して織布を形成しているものであった。このため、従来の原油を利用するようなものにあっては、資源消費の低減、環境に対する負荷低減というものではなく、いわゆる環境にやさしい製品ではなかった。
【０００５】
解決しようとする問題点は、資源消費の低減、環境に対する負荷低減を図る環境にやさしいエコなツールホルダー、ツールバッグ等の携帯用収納用具を提供することを目的とする。
【課題を解決するための手段】
【０００６】
請求項１の考案は、収納部を布により形成した携帯用収納用具において、前記布を再生プラスチック製繊維により形成することを特徴とする携帯用収納用具である。
【０００７】
請求項２の考案は、収納部を布により形成した携帯用収納用具において、前記布を形成する繊維の一部を再生プラスチック製繊維により形成することを特徴とする携帯用収納用具である。
【０００８】
請求項３の考案では、前記布はプラスチック製繊維により形成され、前記再生プラスチック製繊維の前記布の全体に対する重量比で５０％以上に形成することを特徴とする請求項２記載の携帯用収納用具である。
【０００９】
請求項４の考案では、前記布は、織布であって、その経糸及び横糸の一方を前記再生プラスチック製繊維により形成することを特徴とする請求項２又は３記載の携帯用収納用具である。
【００１０】
請求項５の考案では、再生したポリエステルであることを特徴とする請求項４記載の携帯用収納用具である。
【００１１】
請求項６の考案では、前記再生プラスチック製繊維は、前記再生プラスチック製繊維は、再生したＰＥＴ樹脂（ポリエチレンテレフタレート）であることを特徴とする請求項４記載の携帯用収納用具である。
【考案の効果】
【００１２】
請求項１の考案によれば、布の一部叉は全部を再生プラスチック製繊維により形成することで、プラスチックの再生利用により資源消費の低減、環境に対する負荷低減を図ることなどができる。
【００１３】
請求項２の考案によれば、再生プラスチックと非再生プラスチックを利用することで、プラスチックの再生利用、さらに強度の確保を図ることなどができる。
【００１４】
請求項３の考案によれば、再生プラスチックの利用拡大を図ることができる。
【００１５】
請求項４の考案によれば、布の一方の糸のみに再生プラスチックを利用することで、簡単に再生プラスチック製繊維の布の全体に対する重量比で５０％以上に可能となる。
【００１６】
請求項５の考案によれば、強度も十分ある携帯用収納用具を提供することができる。
【００１７】
請求項６の考案によれば、ＰＥＴ樹脂のリサイクルを高めることができる。
【図面の簡単な説明】
【００１８】
【図１】本考案の第１実施例を示す一部を拡大した斜視図である。
【図２】本考案の第２実施例を示す一部を拡大した斜視図である。
【図３】本考案の第３実施例を示す箸の取り出し状態の斜視図である。
【図４】同箸の収納状態の斜視図である。
【図５】本考案の第４実施例を示す斜視図である。
【考案を実施するための最良の形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２０】
図１は実施例１を示しており、携帯用収納用具1であるツールバッグは、携帯部２であるベルト通しとこの携帯部２と一体な上部開口３Ａを有する収納部３たるバッグ部からなる。携帯部２には腰ベルト４を通すための通し孔５が横向きに形成されており、収納部３の正面及び側面には上部小開口６Ａを有する小収納部６がそれぞれ設けられている。尚、小収納部６はその縁を縫着すると共に、上縁を鋲７によって固定している。
【００２１】
前記携帯部２、収納部３及び小収納部６を形成する部材は、多数の繊維を薄く広い板状に加工した布８によって形成したものであり、この布８は、強度、耐水性、耐久性さらにはコスト面から化学繊維からなる繊維を撚って糸にし、そして染色したものを織った織布、繊維を熱・機械的又は化学的な作用によって接着または絡み合わせる事で布にした不織布、又は編布などによって形成されている。実施例では経糸９を再生糸、例えば再生したＰＥＴ樹脂、再生したポリエステルによって形成されている。一方横糸10を例えばナイロンによって形成しており、このように経糸９、横糸10の一方を再生プラスチック製繊維とすることで、再生プラスチック製繊維の布８の全体に対する重量比は５０％以上に形成される。
【００２２】
尚、再生プラスチックとは、産業廃棄物、家庭廃棄物等に含まれる樹脂を処理して再利用可能としたものであり、例えば、工場等から産業廃棄物として回収されるフィルム、ビデオテープ等の規格外品などの製品を化学処理などによって、成形品原料として再利用可能にした樹脂や、或いは家庭等から廃棄される使用済みのボトル、卵などのケース、総菜等の販売に使用されるケースなどの製品を化学処理などによって、成形品原料として再利用可能にした樹脂である。
【００２３】
次に前記構成についてその作用を説明する。腰ベルト４を通し孔５に通して携帯部２を腰に吊り下げた状態で、収納部３や小収納部６に上部開口３Ａ、上部小開口６Ａを通してボルト・ナットなどの被収納品（図示せず）を出し入れして収納するものである。
【００２４】
以上のように、前記実施例では請求項１，２に対応して収納部３、小収納部６を布８により形成した携帯用収納用具１において、布８を形成する繊維の少なくとも一部を再生プラスチック製繊維により形成することで、プラスチックの再生利用により資源消費の低減、環境に対する負荷低減を図ることができる。このため、昨今、温暖化や異常気象など、生活環境を取り巻く状況が悪化している現状であり、環境対策が企業ばかりでなく、世界レベルで協議されている。このような観点から、環境にやさしい従来にないエコな携帯用収納用具1を提供することができる。
【００２５】
また、請求項３に対応して、前記再生プラスチック製繊維の布８の全体に対する重量比で５０％以上に形成することで、再生プラスチックの利用拡大を図ることができる。
【００２６】
さらに、請求項４に対応して、前記布８は、経糸９及び横糸10の一方を再生プラスチック製繊維により形成することで、布８の一方の糸のみに再生プラスチックを利用することで、簡単に再生プラスチック製繊維の布８の全体に対する重量比で５０％或いはそれ以上に形成することができる。
【００２７】
さらに、請求項５に対応して、前記再生プラスチック製繊維は、再生した再生したポリエステルであることにより、強度も十分ある携帯用収納用具を提供することができる。
【００２８】
また、請求項６に対応して、前記再生プラスチック製繊維は、再生したＰＥＴ樹脂であることにより、ＰＥＴ樹脂のリサイクルを高めることができる。
【実施例２】
【００２９】
以下に他の実施例について、説明する。尚、前記実施例１と同一部分には同一符号を付し、その詳細な説明を省略する。
【００３０】
図２は実施例２を示しており、携帯用収納用具11である化学繊維製の布12からなるツールホルダーは、携帯部２である通し孔５とこの携帯部２と一体な上部開口13Ａを有する収納部13たる工具ホルダー部からなる。そして、布12は繊維の少なくとも一部を再生プラスチック製繊維により形成したものである。
【００３１】
次に前記構成についてその作用を説明する。腰ベルト４を通し孔５に通して携帯部２を腰に吊り下げた状態で、収納部13に上部開口13Ａを通して各種工具などの被収納品（図示せず）を出し入れして収納するものである。
【００３２】
このような携帯用収納用具11においても、布12を形成する繊維の少なくとも一部を再生プラスチック製繊維により形成することで、プラスチックの再生利用により資源消費の低減、環境に対する負荷低減を図ることなどができる。
【実施例３】
【００３３】
図３、４は実施例３を示しており、携帯用収納用具21である箸ケースは化学繊維製の布22からなり、上部開口23Ａを蓋23Ｂで開閉可能な袋収納部23からなる。そして、布22は繊維の少なくとも一部を再生プラスチック製繊維により形成したものである。
【００３４】
次に前記構成についてその作用を説明する。袋収納部23の内部に上部開口23Ａを通して箸24を入れて収納して携帯するものである。使用時は上部開口23Ａを通して箸24を取り出して使用するものである。
【００３５】
このような箸ケースの携帯用収納用具21においても、布22を形成する繊維の少なくとも一部を再生プラスチック製繊維により形成することで、携帯する箸24を利用することで割り箸を利用せずすみ、さらには携帯用収納用具21においてもプラスチックの再生利用により資源消費の低減、環境に対する負荷低減を図ることなどができる。
【実施例４】
【００３６】
図５は実施例４を示しており、実施例４は左右上部に肩掛け紐31を設けたエプロン本体32の正面に携帯用収納用具33であるポケット34を設けたものであり、このポケット34を形成するためのポケット表地35及びポケット裏地を形成するエプロン本体32の布36の一部叉は全部を再生プラスチック製繊維により形成することで、プラスチックの再生利用を行うことができる。
【産業上の利用可能性】
【００３７】
以上のように本考案にかかる携帯用収納用具は、前記ツールボックス、ツールホルダーの他に、例えば水や部品、工具或いは園芸用具等を収納する布製バケツや布製バケット、布製工具袋、布製バッグ、布製リュックザック、工具や園芸用具のケース、或いは物を包んで携帯する四角の布からなる風呂敷など各種の用途に適用できる。また、実施例では布は再生プラスチック製繊維と非再生プラスチック製繊維とを組み合わせたものを示したが、再生プラスチック製繊維を１００％使用した布でもよい。
【符号の説明】
【００３８】
1  11  21  33  携帯用収納用具
８  12  22  36  布
９  経糸
10  横糸
【図１】
0003157430.tif 000003
【図２】
0003157430.tif 000004
【図３】
0003157430.tif 000005
【図４】
0003157430.tif 000006
【図５】
0003157430.tif 000007